(57)【要約】【課題】再生装置内に光ピックアップ対物レンズのクリーニング部材を光ディスク外周の外側に設ける。【解決手段】光ディスク１５外周外側の位置にクリーニング部材取り付け部２０を設けクリーニング部材８を形成し、スレッドコントロール部１７にスイッチング機能１８を設け、スレッドモーター１２を単独にコントロールし動作させる機能回路１９を構成した。【選択図】    図２
2004348931.tif 000002
【特許請求の範囲】
【請求項１】
光ピックアップ対物レンズを清掃するためのクリーニング装置を光ディスク再生装置へ直接設けたことを特長とする再生装置であって、クリーニング装置取り付け位置が、光りディスクの外側の位置であることを特長とする光ディスク再生装置。
【請求項２】
光ディスク再生装置へ直接設けたクリーニング部材位置まで、光ピックアップを移動させるための機構を備えたことを特長とする請求項１記載の光ディスク再生装置。
【請求項３】
光ディスク再生装置へ直接設けたクリーニング部材位置まで、光ピックアップを任意移動させ、その後、光ピックアップを元の位置へ戻る機構とし、その往復の間に光ピックアップとクリーニング部材が接触しクリーニングが行われることを特長とする請求項１及び請求項２記載の光ディスク再生装置。
【発明の詳細な説明】
【０００１】
【発明の属する技術分野】
本発明は、光ピックアップ対物レンズ面のクリーニングに関するものである。
【０００２】
【従来の技術】
従来光ピックアップ対物レンズを簡便にクリーニング方法として清掃用のクリニング部材が設けられたクリーニング用のディスクにより、クリーニングするのが一般的であった。
しかし、このようなクリーニングディスクが回転し対物レンズとクリーニング部材が接触することでクリーニングする方式では、クリーニングディスクに設けられたクリーニング部材が対物レンズ以外の再生装置内部のメカ等にも接触する場合が考えられ、その結果メカ部にの油や汚れがクリーニング部材に付着し、その汚れ等今度は対物レンズに付着することとなり逆効果となる場合があった。また光りピックアップ対物レンズを内周でクリーニングするタイプの場合、回転速度が線速度の関係で高速で回転するためクリーニング部材が、光対物レンズに激しく接触し易く、光対物レンズにダメージを与える場合があった。
【０００３】
【発明が解決しようとする課題】
以上のようにディスクが回転することでクリーニングする方式では、クリーニングディスクに設けられたクリーニング部材が対物レンズ以外の再生装置内部のメカ等にも接触する場合も考えられ、その結果メカ部の油や、汚れが付着し、その汚れ等が今度は光ピックアップ対物レンズにつくこととなり逆効果となる現象、また該光ピックアップ対物レンズにダメージを与える現象を解決するものである。
【０００４】
【課題を解決する手段】
本発明では、これら従来製品の問題点を解決するためクリーニングディスクを用いずに、しかも再生装置内のメカ部分とは接触することなく、クリーニング部材と光ピックアップ対物レンズのみとが接触しクリーニングができる構造とした。以上のように、本発明は従来製品では不可能であった光ピックアップ対物レンズのみをクリーニングすることを可能とした。
【０００５】
【発明の実施と形態】
本発明の構成を図１〜図２によって説明する。
対物レンズ１を設けた光りピックアップ２本体に軸受け３ａ３ｂ及びラックピニオン５を形成し、スライドを可能とする軸４ａ４ｂに嵌合させ、その両端は、ストッパーつき軸固定ブロック６、及び軸固定ブロック７ａ７ｂ７ｃでそれぞれ固定されている。またスライド送り機構はラックピニオン５、送り歯車９、中継歯車１０、動力歯車１１が係合し該動力歯車はスレッドモーター１２に直結されている。一方スピンドルモーター１６にはディスク１５を取り付けるスピンドルベース１３を設け、該スピンドルベース１３外周に沿ってスライドするトレー１４を設け、光ディスク１５外周外側の位置にクリーニング部材取り付け部２０を設けクリーニング部材８を形成している。
【０００６】
以上の説明は、クリーニング部材８及びクリーニング部材取り付け部２０を除き再生装置の機構を構成した一例を説明したものであるが、プレーヤ動作時は光ディスク特有の各種サーボをＣＰＵからの指令により行う必要があり、機能としてフォーカス、トラッキング、スレッド、スピンドルの各コントロール等があるが、このうちスレッドコントロール部１７にスイッチング機能１８を設け、スレッドモーター１２を、単独にコントロールし動作させる機能回路１９を構成した。
【０００７】
【実施例】
本発明の実施例を図３及び図４によって説明する。
スレッドコントロール部１７に設けたスイッチング機能１８を、スレッドモーター１２を単独にコントロールし動作させる機能回路１９に切り替えるとスレッドモーター１２が動作し係合した各歯車１１、１０、９が回転しラックピニオン５及び該ラックピニオン５に軸受け３ａ３ｂを介し合体している光ピックアップ２が、ストッパー付き固定ブロック６の距離を複数回一定の速度で摺動し対物レンズ１はクリーニング部材８に接触しクリーニング出来る。
なお、前記したように、再生装置の機構は、このほかスイングアーム、リニアモーター等の各機構があり、これらの機構にも適用出来ることを付記する。
【０００８】
【発明の効果】
本発明は以上説明したような形態で実施され、以下に記載されるような効果を奏する。
【０００９】
スレッドモーターをスイッチング機能により単独のコントロール回路に切り替え、光ピックアップ対物レンズのみをクリーニングするため、きめ細かいクリーニングが出来る。
【００１０】
光ピックアップ対物レンズに衝撃等による悪影響を与えない。
【００１１】
クリーニングの動作範囲が光ピックアップ対物レンズに限定出来るため再生装置内部メカ部分にクリーニング部材が接触せず、該メカ部分に付着した油や汚れの影響を受けない。
【００１２】
クリーニング部材を再生装置内部に形成出来るため、クリーニングの方法が、広がる。例えば光ピックアップ対物レンズをクリーニングポジションに移動させ、その後にクリーニング部材を対物レンズに接触させ、該クリーニング部材を回転又は摺動させ、クリーニング終了と同時にクリーニング部材は対物レンズより離れ、スレッドモーターが動作し元のポジションに光ピックアップ対物レンズが戻る等の、シーケンス回路及び機構を組み込むことが十分可能である。
【図面の簡単な説明】
【図１】再生装置内部光ピックアップ対物レンズ周辺を示す平面図である。
【図２】再生装置内部光ピックアップ対物レンズ周辺を示す正面図である。
【図３】クリーニングの実施例を示す平面図である。
【図４】クリーニングの実施例を示す正面図である。
【符号の説明】
１          ：対物レンズ
２          ：光ピックアップ
３ａ３ｂ    ：軸受け
４ａ４ｂ    ：軸
５          ：ラックピニオン
６          ：ストッパー付き軸固定ブロック
７ａ７ｂ７ｃ：軸固定ブロック
８          ：クリーニング部材
９          ：送り歯車
１０        ：中継歯車
１１        ：動力歯車
１２        ：スレッドモーター
１３        ：スピンドルベース
１４        ：トレー
１５        ：光ディスク
１６        ：スピンドルモーター
１７        ：スレッドコントロール部
１８        ：スイッチング機能
１９        ：スレッドモーターを単独にコントロールする機能回路
２０        ：クリーニング部材取り付け部
【図１】
2004348931.tif 000003
【図２】
2004348931.tif 000004
【図３】
2004348931.tif 000005
【図４】
2004348931.tif 000006